(57)【要約】      （修正有）【課題】人体の腹囲（ウエストサイズ）や腰囲（ヒップサイズ）を自動的に求めることにより、巻き尺等を人体の該当部位に巻き付けて測定するという煩雑な作業をなくすことが可能な健康管理装置を提供する。【解決手段】健康管理装置を、身長、体重を含む被検者の身体データを入力することができ、前記身長及び体重を含む身体データに基づく演算処理により、前記被検者の胴の部位における周回の寸法である腹囲を求めることができるように構成する。【選択図】なし【特許請求の範囲】
【請求項１】
身長、体重を含む被検者の身体データを入力することができ、
前記身長及び体重を含む身体データに基づく演算処理により、前記被検者の胴の部位における周回の寸法である腹囲を求めることができる健康管理装置。
【請求項２】
身長、体重を含む被検者の身体データを入力することができ、
被検者の人体の末端に接触させる電極を介して前記被検者の身体のインピーダンスを測定できるインピーダンス測定手段を有し、
前記身長、体重及び身体のインピーダンスを含む身体データに基づく演算処理により、前記被検者の胴の部位における周回の寸法である腹囲を求めることができる健康管理装置。
【請求項３】
身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率測定手段により測定された体脂肪に関する定量的な情報を含む身体データに基づく演算処理により、前記被検者の胴の部位における周回の寸法である腹囲を求めることができる健康管理装置。
【請求項４】
身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データに基づく演算処理により、前記被検者の胴の部位における周回の寸法である腹囲を求めることができる健康管理装置。
【請求項５】
身長、体重及び年齢を含む被検者の身体データを入力することができ、前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされることを特徴とする健康管理装置。
【請求項６】
身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢、体脂肪率及びＢＭＩを含んでされることを特徴とする健康管理装置。
【請求項７】
前記腹囲を求めるための演算式が、その創成にかかる前記多数の標本の範囲を男性と女性とに分けて創成されてなることを特徴とする請求項５に記載の健康管理装置。
【請求項８】
前記腹囲を求めるための演算式が、その創成にかかる前記多数の標本の範囲を男性と女性とに分けて創成されてなることを特徴とする請求項６に記載の健康管理装置。
【請求項９】
前記求められた腹囲に基づく演算処理により、内臓脂肪に関する定量的な情報を求めることができる、請求項１乃至８のいずれかに記載の健康管理装置。
【請求項１０】
前記求められた腹囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腹囲との相関の統計的処理により創成されてなる、請求項１乃至８のいずれかに記載の健康管理装置。
【請求項１１】
身長、体重を含む被検者の身体データを入力することができ、
前記身長及び体重を含む身体データに基づく演算処理により、前記被検者の臀部の部位における周回の寸法である腰囲を求めることができる健康管理装置。
【請求項１２】
身長、体重を含む被検者の身体データを入力することができ、
被検者の人体の末端に接触させる電極を介して前記被検者の身体のインピーダンスを測定できるインピーダンス測定手段を有し、
前記身長、体重及びインピーダンスを含む身体データに基づく演算処理により、前記被検者の臀部の部位における周回の寸法である腰囲を求めることができる健康管理装置。
【請求項１３】
身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率測定手段により測定された体脂肪に関する定量的な情報を含む身体データに基づく演算処理により、前記被検者の臀部の部位における周回の寸法である腰囲を求めることができる健康管理装置。
【請求項１４】
身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データに基づく演算処理により、前記被検者の臀部の部位における周回の寸法である腰囲を求めることができる健康管理装置。
【請求項１５】
身長、体重及び年齢を含む被検者の身体データを入力することができ、
前記身長及び体重を含む身体データを所定の演算式で演算処理することにより前記被検者の臀部の部位における周回の寸法である腰囲を求めることができ、
前記演算式が、多数の標本とされる人体に対する物理的測定により測定された前記腰囲と該標本とされた人体の身体データとの相関の統計的処理により創成されてなり、
前記腰囲を求めるための演算式による演算処理が、被検者の身長、体重及び年齢を含んでされることを特徴とする健康管理装置。
【請求項１６】
身長、体重及び年齢を含む被検者の身体データを入力することができ、
被検者の人体の末端に接触させる電極を介して測定される前記被検者のインピーダンスに基づき体脂肪率を求めることができる体脂肪率測定手段を有し、
前記身長、体重及び体脂肪率を含む身体データを所定の演算式で演算処理することにより前記被検者の臀部の部位における周回の寸法である腰囲を求めることができ、
前記演算式が、多数の標本とされる人体に対する物理的測定により測定された前記腰囲と該標本とされた人体の身体データとの相関の統計的処理により創成されてなり、前記腰囲を求めるための演算式による演算処理が、被検者の身長、体重、年齢、及び体脂肪率を含んでされることを特徴とする健康管理装置。
【請求項１７】
前記腰囲を求めるための演算式が、その創成にかかる前記多数の標本の範囲を男性と女性とに分けて創成されてなることを特徴とする請求項１５に記載の健康管理装置。
【請求項１８】
前記腰囲を求めるための演算式が、その創成にかかる前記多数の標本の範囲を男性と女性とに分けて創成されてなることを特徴とする請求項１６に記載の健康管理装置。
【請求項１９】
身長、体重を含む被検者の身体データを入力することができ、
前記身長及び体重を含む身体データに基づく演算処理により、前記被検者の胴の部位における周回の寸法である腹囲及び被検者の臀部の部位における周回の寸法である腰囲を求めることができ、
前記求められた腹囲及び腰囲に基づく演算処理により被検者の内臓脂肪に関する定量的な情報を求めることができる健康管理装置。
【請求項２０】
請求項１１乃至１８のいずれかに記載の健康管理装置において、
身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲを含む身体データとの相関の統計的処理により創成されてなり、
前記内臓脂肪横断面積を求めるための他の演算式による演算処理が、被検者のＷＨＲを含んでされることを特徴とする健康管理装置。
【請求項２１】
請求項１１乃至１８のいずれかに記載の健康管理装置において、
身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、
被検者の人体の末端に接触させる電極を介して測定される前記被検者のインピーダンスに基づき体脂肪率を求めることができる体脂肪率測定手段を有し、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ及び体脂肪率を含む身体データとの相関の統計的処理により創成されてなり、前記内臓脂肪横断面積を求めるための他の演算式による演算処理が、被検者のＷＨＲ及び体脂肪率を含んでされることを特徴とする健康管理装置。
【請求項２２】
請求項１１乃至１８のいずれかに記載の健康管理装置において、
身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、
被検者の人体の末端に接触させる電極を介して測定される前記被検者のインピーダンスに基づき体脂肪率を求めることができる体脂肪率測定手段を有し、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、体脂肪率、身長に対する体重の比（体重／身長）の二乗を含む身体データとの相関の統計的処理により創成されてなり、
前記内臓脂肪横断面積を求めるための他の演算式による演算処理が、被検者のＷＨＲ、体脂肪率、身長に対する体重の比（体重／身長）の二乗を含んでされることを特徴とする健康管理装置。
【請求項２３】
請求項１１乃至１８のいずれかに記載の健康管理装置において、身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、身長に対する体重の比（体重／身長）の二乗を含む身体データとの相関の統計的処理により創成されてなり、
前記内臓脂肪横断面積を求めるための他の演算式による演算処理が、被検者のＷＨＲ、身長に対する体重の比（体重／身長）の二乗を含んでされることを特徴とする健康管理装置。
【請求項２４】
請求項１１乃至１８のいずれかに記載の健康管理装置において、
身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢、体脂肪率及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ及び体脂肪率を含む身体データとの相関の統計的処理により創成されてなり、
前記内臓脂肪横断面積を求めるための他の演算式による演算処理が、被検者のＷＨＲ及び体脂肪率を含んでされることを特徴とする健康管理装置。
【請求項２５】
請求項１１乃至１８のいずれかに記載の健康管理装置において、
身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢、体脂肪率及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、体脂肪率、身長に対する体重の比（体重／身長）の二乗を含む身体データとの相関の統計的処理により創成されてなり、
前記内臓脂肪横断面積を求めるための他の演算式による演算処理が、被検者のＷＨＲ、体脂肪率、身長に対する体重の比（体重／身長）の二乗を含んでされることを特徴とする健康管理装置。
【請求項２６】
請求項１１乃至１８のいずれかに記載の健康管理装置において、
身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢、体脂肪率及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、身長に対する体重の比（体重／身長）の二乗を含む身体データとの相関の統計的処理により創成されてなり、
前記内臓脂肪横断面積を求めるための他の演算式による演算処理が、被検者のＷＨＲ、身長に対する体重の比（体重／身長）の二乗を含んでされることを特徴とする健康管理装置。
【請求項２７】
請求項２０乃至２６のいずれかに記載の健康管理装置において、
前記ＷＨＲに基づき体型判定を行えるように構成された請求項２０乃至２６のいずれかに記載の健康管理装置。
【請求項２８】
請求項１乃至６のいずれか、請求項１９乃至２７のいずれかに記載の健康管理装置において、
前記腹囲に基づき肥満判定を行えるように構成された健康管理装置。
【請求項２９】
請求項９又は１０、請求項２０乃至２７のいずれかに記載の健康管理装置において、
前記求められた内臓脂肪横断面積に基づき肥満判定を行えるように構成された健康管理装置。
【発明の詳細な説明】
【技術分野】
【０００１】
この発明は、被検者の健康状態の判断に役立つ身体の特徴的な部位の物理的な寸法を自動的に求めることができる健康管理装置に関する。
【背景技術】
【０００２】
従来より、人体の肥満の度合いを評価し管理できる装置として、例えば体脂肪計があり、この体脂肪計によると、体脂肪率を測定することによって肥満の度合いを知ることができ、また、定期的に体脂肪率を測定して肥満の度合いを管理し、健康管理を行うことができる。
【０００３】
ここで、肥満の度合いに結びつき易い人体の部位の物理的な寸法であり、健康状態の指標として用い得る寸法として、胴の部位における周回の寸法である腹囲、いわゆるウエストサイズがある。
【０００４】
即ち、このウエストサイズを測ることにより、人体の肥満の程度の目安を得ることができ、ウエストサイズの増加を知ると、肥満を防ぐべく食生活等に注意を払い、健康状態に対する管理を行うことができる。
【０００５】
しかし、従来、このウエストサイズの測定を行うには、巻き尺等を用いてする必要があり、手間取るものであった。即ち、巻き尺を人体のウエスト部分に巻き付けて測定しなければならず、手間取るものであった。特に、学校や職場の集団検診等においてウエストサイズを測定しようとすると、多数の被検者が対象となることから、多くの時間を要するものとなる。
【０００６】
また、肥満の度合いに結び付き易い他の部位の物理的な寸法として、臀部の部位の周回の寸法である腰囲、いわゆるヒップサイズがある。このヒップサイズを測定する場合についても、巻き尺等を用いてする必要があり、手間取るものである。
【０００７】
従って、上記ウエストサイズやヒップサイズについて、巻き尺等により直接に測定することなく、演算により自動的に求め得ることが望まれる。さらに、かかるウエストサイズやヒップサイズを基礎として、健康により強く関係する身体の情報を得ることも望まれる。
【０００８】
そこで、本発明は、人体の肥満の度合いの判断に用いることができるウエストサイズやヒップサイズについて、自動的に求めることができ、巻き尺等を用いて人体に対して直接に測定する必要をなくすることができる健康管理装置を提供することを目的とする。
【発明の開示】
【０００９】
上記課題を解決するため、本発明にかかる健康管理装置は、身長、体重を含む被検者の身体データを入力することができ、
前記身長及び体重を含む身体データに基づく演算処理により、前記被検者の胴の部位における周回の寸法である腹囲を求める得るように構成されている。
【００１０】
これにより、この発明の健康管理装置によると、被検者の胴の部位における周回の寸法である腹囲（ウエストサイズ）を自動的に求めることができ、腹囲を求めて人体の肥満の度合いの判断を行うにあたり、巻き尺等を人体の胴回りに巻き付けて腹囲を測定するという煩雑な測定作業をなくすることができる。
【００１１】
また、本発明の健康管理装置を、身長、体重を含む被検者の身体データを入力することができ、
被検者の人体の末端に接触させる電極を介して前記被検者の身体のインピーダンスを測定できるインピーダンス測定手段を有し、
前記身長、体重及び身体のインピーダンスを含む身体データに基づく演算処理により、前記被検者の胴の部位における周回の寸法である腹囲を求めるように構成することができる。
【００１２】
この発明の健康管理装置によると、被検者の腹囲を自動的に求めることができる。
【００１３】
また、本発明の健康管理装置を、身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率測定手段により測定された体脂肪に関する情報を含む身体データに基づく演算処理により、前記被検者の胴の部位における周回の寸法である腹囲を求めるように構成することができる。
【００１４】
この発明の健康管理装置によると、被検者の腹囲を自動的に求め得るとともに、上記体脂肪率測定手段により、被検者の体脂肪に関する情報を求めることもできる。
【００１５】
また、本発明の健康管理装置を、身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データに基づく演算処理により、前記被検者の胴の部位における周回の寸法である腹囲を求めるように構成することもできる。
【００１６】
この発明の健康管理装置によると、被検者の腹囲を自動的に求め得るとともに、上記体脂肪率測定手段により、健康状態の指標の一つとして用いることができる体脂肪率を求めることもできる。
【００１７】
また、本発明の健康管理装置を、身長、体重及び年齢を含む被検者の身体データを入力することができ、前記身体データの所定の演算式に基づく演算処理により前記被検者の胴の部位における周回の寸法である腹囲を求めることができ、
前記演算式を、多数の標本とされる人体に対する物理的測定により測定された前記腹囲と該標本とされた人体の身体データとの相関の統計的処理により創成し、
前記腹囲を求めるための演算式による演算処理を、被検者の体重、年齢及びＢＭＩを含んでするように構成することができる。
【００１８】
この発明の健康管理装置によると、標本とされた多数の人体における腹囲と身長、体重、年齢を含む身体データとの相関を統計的に処理することによって創成された演算式に基づき、被検者の身長、体重、年齢を含む身体データより被検者の腹囲を求めることができる。
【００１９】
これにより、被検者の胴の部位における周回の寸法である腹囲（ウエストサイズ）を自動的に求めることができ、腹囲を求めて人体の肥満の度合いの判断を行うにあたり、巻き尺等を人体の胴回りに巻き付けて測定するという煩雑な測定作業をなくすることができる。
【００２０】
また、本発明の健康管理装置を、身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、前記腹囲を求めるための演算式による演算処理を、被検者の体重、年齢、体脂肪率及びＢＭＩを含んでするように構成することができる。
【００２１】
この発明の健康管理装置によると、標本とされた多数の人体における腹囲と身長、体重、年齢を含む身体データとの相関を統計的に処理することによって創成された演算式により、被検者の身長、体重、年齢を含む身体データより被検者の腹囲を求め得るとともに、体脂肪率測定手段により、健康状態の指標の一つとして用いることができる体脂肪率を求めることもできる。
【００２２】
また、前記腹囲を求めるための演算式について、その創成にかかる前記多数の標本の範囲を男性と女性とに分けて創成することができる。これにより、前記演算式に基づいて身長や体重等の身体データより被検者の腹囲を求めるにあたり、男女の性別に基づく差違を反映させることができる。
【００２３】
また、前記腹囲を求めることができる健康管理装置について、前記求められた腹囲に基づく演算処理をさらに行い、内臓脂肪に関する定量的な情報を求めるように構成することもできる。
【００２４】
被検者の胴の部位における周回の寸法である腹囲は内臓脂肪の付着量と関係があり、腹囲に基づき内臓脂肪に関する定量的な情報を求めることができる。そして、内臓脂肪は、成人病等の健康状態に強く影響するので、かかる内臓脂肪に関する定量的な情報は、健康状態を予測する重要な指標として用いることができる。
【００２５】
また、本発明の健康管理装置について、前記求められた腹囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腹囲との相関の統計的処理により創成されてなる構成とすることができる。
【００２６】
この発明の健康管理装置によると、標本とされた多数の人体における内臓脂肪横断面積と腹囲との相関を統計的に処理することによって創成された前記他の演算式に基づき、前記求められた被検者の腹囲より被検者の内臓脂肪横断面積を求めることができる。
【００２７】
一方、本発明の健康管理装置を、身長、体重を含む被検者の身体データを入力することができ、
前記身長及び体重を含む身体データに基づく演算処理により、前記被検者の臀部の部位における周回の寸法である腰囲を求めるように構成することができる。
【００２８】
これにより、この発明の健康管理装置によると、被検者の臀部の部位における周回の寸法である腰囲（ヒップサイズ）を自動的に求めることができ、腰囲を求めて人体の肥満の度合いの判断を行うにあたり、巻き尺等を人体の臀部回りに巻き付けて腰囲を測定するという煩雑な測定作業をなくすることができる。
【００２９】
また、本発明の健康管理装置を、身長、体重を含む被検者の身体データを入力することができ、
被検者の人体の末端に接触させる電極を介して前記被検者の身体のインピーダンスを測定できるインピーダンス測定手段を有し、
前記身長、体重及びインピーダンスを含む身体データに基づく演算処理により、前記被検者の臀部の部位における周回の寸法である腰囲を求めるように構成することができる。
【００３０】
この発明の健康管理装置によると、被検者の腰囲を自動的に求めることができる。
【００３１】
また、本発明の健康管理装置を、身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率測定手段により測定された体脂肪に関する定量的な情報を含む身体データに基づく演算処理により、前記被検者の臀部の部位における周回の寸法である腰囲を求めるように構成することができる。
【００３２】
この発明の健康管理装置によると、被検者の腰囲を自動的に求め得るとともに、上記体脂肪率測定手段により、被検者の体脂肪に関する情報を求めることもできる。
【００３３】
また、本発明の健康管理装置を、身長、体重を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データに基づく演算処理により、前記被検者の臀部の部位における周回の寸法である腰囲を求めるように構成することができる。
【００３４】
この発明の健康管理装置によると、被検者の腰囲を自動的に求め得るとともに、上記体脂肪率測定手段により、健康状態の指標の一つとして用いることができる体脂肪率を求めることもできる。
【００３５】
また、本発明の健康管理装置を、身長、体重及び年齢を含む被検者の身体データを入力することができ、
前記身長及び体重を含む身体データを所定の演算式で演算処理することにより前記被検者の臀部の部位における周回の寸法である腰囲を求めることができ、
前記演算式が、多数の標本とされる人体に対する物理的測定により測定された前記腰囲と該標本とされた人体の身体データとの相関の統計的処理により創成されてなり、
前記腰囲を求めるための演算式による演算処理が、被検者の身長、体重及び年齢を含んでされるように構成することができる。
【００３６】
この発明の健康管理装置によると、標本とされた多数の人体における腰囲と身長、体重、年齢を含む身体データとの相関を統計的に処理することによって創成された演算式に基づき、被検者の身長、体重、年齢を含む身体データより被検者の腰囲を求めることができる。
【００３７】
これにより、被検者の臀部の部位における周回の寸法である腰囲を自動的に求めることができ、腰囲を求めて人体の肥満の度合いの判断を行うにあたり、巻き尺等を人体の臀部回りに巻き付けて測定するという煩雑な測定作業をなくすることができる。
【００３８】
また、本発明の健康管理装置を、身長、体重及び年齢を含む被検者の身体データを入力することができ、
被検者の人体の末端に接触させる電極を介して測定される前記被検者のインピーダンスに基づき体脂肪率を求めることができる体脂肪率測定手段を有し、
前記身長、体重及び体脂肪率を含む身体データを所定の演算式で演算処理することにより前記被検者の臀部の部位における周回の寸法である腰囲を求めることができ、
前記演算式が、多数の標本とされる人体に対する物理的測定により測定された前記腰囲と該標本とされた人体の身体データとの相関の統計的処理により創成されてなり、
前記腰囲を求めるための演算式による演算処理が、被検者の身長、体重、年齢、及び体脂肪率を含んでされるように構成することができる。
【００３９】
これにより、被検者の腰囲を自動的に求めることができ、該腰囲を知るにあたり、巻き尺等を用いて測定するという煩雑な測定作業をなくすることができる。
【００４０】
また、前記腰囲を求めるための演算式について、その創成にかかる前記多数の標本の範囲を男性と女性とに分けて創成することができる。これにより、前記演算式に基づいて身長や体重等の身体データより被検者の腰囲を求めるにあたり、男女の性別に基づく差違を反映させることができる。
【００４１】
また、本発明の健康管理装置を、身長、体重を含む被検者の身体データを入力することができ、
前記身長及び体重を含む身体データに基づく演算処理により、前記被検者の胴の部位における周回の寸法である腹囲及び被検者の臀部の部位における周回の寸法である腰囲を求めることができ、
前記求められた腹囲及び腰囲に基づく演算処理により被検者の内臓脂肪に関する定量的な情報を求めるように構成することができる。人体の腹囲及び腰囲は、内臓脂肪の付着量と関係があり、腹囲及び腰囲に基づき内臓脂肪に関する定量的な情報を求めることができる。そして、内臓脂肪は、成人病等の健康状態に強く影響するので、かかる内臓脂肪に関する定量的な情報を知ることで、健康状態を知るための重要な指標を得ることができる。
【００４２】
そして、前記被検者の腰囲を求めることができる健康管理装置について、身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、前記他の演算式が、多数の標本とされる人体に対する断層撮影により測定された実際の内臓脂肪横断面積と該標本とされた人体の腰囲に対する腹囲の比（腹囲／腰囲）であるＷＨＲを含む身体データとの相関の統計的処理により創成されてなり、
前記内臓脂肪横断面積を求めるための他の演算式による演算処理が、被検者のＷＨＲを含んでされる構成とすることができる。
【００４３】
この健康管理装置によると、内臓脂肪に関する定量的な情報として内臓脂肪横断面積を求めることができる。
【００４４】
また、前記被検者の腰囲を求めることができる健康管理装置について、身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、
被検者の人体の末端に接触させる電極を介して測定される前記被検者のインピーダンスに基づき体脂肪率を求めることができる体脂肪率測定手段を有し、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ及び体脂肪率を含む身体データとの相関の統計的処理により創成されてなり、
前記内臓脂肪横断面積を求めるための他の演算式による演算処理が、被検者のＷＨＲ及び体脂肪率を含んでするように構成することができる。
【００４５】
この健康管理装置によると、内臓脂肪に関する定量的な情報として内臓脂肪横断面積を求めることができる。
【００４６】
また、前記被検者の腰囲を求めることができる健康管理装置について、身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、
被検者の人体の末端に接触させる電極を介して測定される前記被検者のインピーダンスに基づき体脂肪率を求めることができる体脂肪率測定手段を有し、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、体脂肪率、身長に対する体重の比（体重／身長）の二乗を含む身体データとの相関の統計的処理により創成されてなり、
前記内臓脂肪横断面積を求めるための他の演算式による演算処理が、被検者のＷＨＲ、体脂肪率、身長に対する体重の比（体重／身長）の二乗を含んでされるように構成することができる。
【００４７】
この健康管理装置によると、内臓脂肪に関する定量的な情報として内臓脂肪横断面積を求めることができる。
【００４８】
また、前記被検者の腰囲を求めることができる健康管理装置について、身長、体重及び年齢を含む被検者の身体データを入力することができ、
前記身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、身長に対する体重の比（体重／身長）の二乗を含む身体データとの相関の統計的処理により創成されてなり、
前記内臓脂肪横断面積を求めるための他の演算式による演算処理が、被検者のＷＨＲ、身長に対する体重の比（体重／身長）の二乗を含んでされるように構成することができる。
【００４９】
この健康管理装置によると、内臓脂肪に関する定量的な情報として内臓脂肪横断面積を求めることができる。
【００５０】
また、前記被検者の腰囲を求めることができる健康管理装置について、身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢、体脂肪率及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ及び体脂肪率を含む身体データとの相関の統計的処理により創成されてなり、
前記内臓脂肪横断面積を求めるための他の演算式による演算処理が、被検者のＷＨＲ及び体脂肪率を含んでされるように構成することができる。
【００５１】
この健康管理装置によると、内臓脂肪に関する定量的な情報として内臓脂肪横断面積を求めることができる。
【００５２】
また、前記被検者の腰囲を求めることができる健康管理装置について、身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢、体脂肪率及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、体脂肪率、身長に対する体重の比（体重／身長）の二乗を含む身体データとの相関の統計的処理により創成されてなり、
前記内臓脂肪横断面積を求めるための他の演算式による演算処理が、被検者のＷＨＲ、体脂肪率、身長に対する体重の比（体重／身長）の二乗を含んでされるように構成することができる。
【００５３】
この健康管理装置によると、内臓脂肪に関する定量的な情報として内臓脂肪横断面積を求めることができる。
【００５４】
また、前記被検者の腰囲を求めることができる健康管理装置について、身長、体重及び年齢を含む被検者の身体データを入力することができ、
被検者の人体の末端に接触させる電極を介して測定される前記被検者の身体のインピーダンスに基づき体脂肪率を求めることができる体脂肪率測定手段を有し、
前記身長、体重及び体脂肪率を含む身体データの所定の演算式に基づく演算処理により前記被検者の胴の部位における周回の寸法である腹囲を求めることができ、
前記演算式が、多数の標本とされる人体に対する物理的測定により測定された前記腹囲と該標本とされた人体の身体データとの相関の統計的処理により創成されてなり、
前記腹囲を求めるための演算式による演算処理が、被検者の体重、年齢、体脂肪率及びＢＭＩを含んでされるものであり、
前記求められた腹囲及び腰囲を所定の他の演算式で演算処理することにより前記被検者の内臓脂肪横断面積を求めることができ、
前記他の演算式が、多数の標本とされる人体に対する断層撮影により測定された実際の内臓脂肪横断面積と該標本とされた人体の腰囲に対する腹囲の比（腹囲／腰囲）であるＷＨＲ、身長に対する体重の比（体重／身長）の二乗を含む身体データとの相関の統計的処理により創成されてなり、
前記内臓脂肪横断面積を求めるための他の演算式による演算処理が、被検者のＷＨＲ、身長に対する体重の比（体重／身長）の二乗を含んでされるように構成することができる。
【００５５】
この健康管理装置によると、内臓脂肪に関する定量的な情報として内臓脂肪横断面積を求めることができる。
【００５６】
また、前記他の演算式による演算処理を被検者のＷＨＲを含んでするように構成される健康管理装置について、前記ＷＨＲに基づき体型判定を行うように構成することができる。この健康管理装置によると、ＷＨＲに基づき上半身と下半身のバランスに基づく、被検者の体型を判定することができる。
【００５７】
また、前記腹囲を求めることができる健康管理装置について、腹囲に基づいて肥満判定を行うように構成することもできる。この健康管理装置によると、求められた腹囲の大きさに基づき、被検者が肥満しているか否かを判定することができる。
【００５８】
また、前記内臓脂肪横断面積を求めることができる健康管理装置について、内臓脂肪横断面積に基づいて肥満判定を行うように構成することができる。この健康管理装置によると、求められた内臓脂肪横断面積の大きさに基づき、被検者が肥満しているか否かを判定することができる。
【発明を実施するための最良の形態】
【００５９】
以下、本発明の実施の形態を、図面を参照しながら説明する。
【００６０】
（第１実施形態）
本発明を実施するための最良の形態について、第１図乃至第３図に基づいて説明する。
【００６１】
第１図は本発明の一の実施の形態にかかる健康管理装置１０の斜視図である。この健康管理装置１０によると、後に説明するように、被検者の胴の部位における周回の寸法である腹囲（以下、「ウエストサイズ」と呼ぶこともある）や、被検者の臀部の部位における周回の寸法である腰囲（以下、「ヒップサイズ」と呼ぶこともある）を演算により求めることができる。
【００６２】
健康管理装置１０において、操作部７は、これを被検者が操作することによって被検者個人の身体的特徴を表す身体データを入力することができ、数値や文字を入力するための数値キーや文字キー等を備えている。また、操作部７には、身体データの各項目の選択を行うための選択キーも備わっている。これらの選択キー及び数値キー等を操作することにより身体データを入力できる。
【００６３】
この健康管理装置１０で入力できる身体データとして、被検者の身長、体重、性別データ、年齢がある。性別データについては、被検者の男女の別に応じて、その選択入力を行えるようにされており、かかる入力に応じた性別管理コードにより被検者の性別が識別されるようにされている。
【００６４】
また、入力された前記被検者の身長や体重の他、ウエストサイズやヒップサイズ等、前記入力された身体データより演算により求められる被検者の身体的特徴を表すデータについても、後に説明する記憶装置１５において身体データとして格納されるようになっている。
【００６５】
また、操作部７には、健康管理装置１０を動作させるべく電源オンまたはオフするためのオン／オフ（ＯＮ／ＯＦＦ）スイッチや、後に説明する生体インピーダンスの測定を開始するためのインピーダンス測定開始スイッチも設けられている。
【００６６】
また、健康管理装置１０には、以下に説明するように、体脂肪の測定において周知である体脂肪率測定手段が設けられている。この体脂肪率測定手段によると、体脂肪率や体内脂肪重量等、体脂肪に関する定量的な情報を求めることができる。
【００６７】
この健康管理装置１０にあっては、その本体１の表面における前方部分の左側には電極３が配設され、前方部分の右側には電極４が配設されている。そして、本体１の裏面における前記電極３に対する略真裏の位置には電極５が配設され、前記電極４に対する略真裏の位置には電極６が配設されている。
【００６８】
これら電極３、４、５、６からなる電極群は、人体の生体インピーダンスを測定するためのものである。そして、前記電極５及び６は被検者の人体に電流路を形成するための一対の電流路形成電極であり、前記電極３及び４は前記電流路内における二点間の電位差を測定するための一対の電圧測定用電極である。
【００６９】
そして、これらの電極群は、本体１の内部のインピーダンス測定手段（図示されない）に接続されている。即ち、電極５及び６は一定電流を出力する定電流源を構成する回路部分に接続されており、電極３及び電極４は電圧計を構成する回路部分に接続されている。
【００７０】
これらの電極を介して生体インピーダンスを測定するにあたり、例えば、被検者の左手の親指を電極３に接触させ左手の人指し指を電極５に接触させるとともに、右手の親指を電極４に接触させ右手の人指し指を電極６に接触させることができる。このようにして被検者の両手を人体の末端とする生体インピーダンスを測定することができる。
【００７１】
この健康管理装置１０のように、電極５を電極３の略真裏の位置となるように配設し、電極６を電極４の略真裏の位置となるように配設すると、両手の各手の二本の指を電極に接触させつつ本体１を摘むにあたり、摘み易いというメリットがある。これにより、健康管理装置１０を手にとって安定して支持しつつ、生体インピーダンスを安定して測定することもできる。また、各手の二本の指によって、電極３と５とを略等しく押圧することができ、電極４と６とを略等しく押圧することもできる。これにより、生体インピーダンスをより安定に測定することができる。
【００７２】
なお、以上に説明した体脂肪率測定手段によると体脂肪に関する定量的な情報を得ることができるが、測定された生体インピーダンスを後に説明する記憶装置１５に記憶し、この生体インピーダンスを体脂肪に関する情報とは別個に被検者個人の身体データの一つとして用いるのであってもよい。
【００７３】
そして、表示部８には、操作部７より入力された身体データや体脂肪率測定手段により測定された体脂肪率が表示される他、前記入力された身体データを元にして求められたウエストサイズ等の演算結果も表示される。
【００７４】
次に、第２図に基づき健康管理装置１０の信号処理にかかるブロックについて説明し、併せて健康管理装置１０の動作についても説明する。この健康管理装置１０における各種の演算は、中央処理装置（ＣＰＵ）１４と記憶装置１５とを備えて構成される演算処理部１２によって行われる。
【００７５】
記憶装置１５に記憶される各種のデータや測定値は、表示部８に表示することができる。また、入力された身体データや前記生体インピーダンス等を中央処理装置１４や記憶装置１５により処理するための入出力は、入出力装置（Ｉ／Ｏ）１６を介して行われる。
【００７６】
記憶装置１５には、操作部７に備わる機能キーの操作を介して入力された身体データや、電極３、４、５、６を介して得られた生体インピーダンスの測定値が記憶される。
【００７７】
また、記憶装置１５には、測定された生体インピーダンスに基づいて体脂肪率を演算するための演算式や係数が予め記憶されており、体脂肪率を求め得るようになっている。
【００７８】
また、記憶装置１５には、被検者のＢＭＩを求めるための演算式も記憶されており、ＢＭＩを求め得るようになっている。このＢＭＩは、肥満に関する指標として比較的に簡易に求めることができ、（体重）／（身長）2により求めることができる。
【００７９】
また、記憶装置１５には、被検者のヒップサイズに対するウエストサイズの比であるＷＨＲ（ウエストサイズ／ヒップサイズ）を求めるための演算式が記憶されており、ＷＨＲを求め得るようになっている。
【００８０】
また、記憶装置１５には、被検者のウエストサイズを演算するための演算式として、以下の式（１）乃至式（４）が記憶されている。
【００８１】
ＷL＝ａ1＋ｂ1・ＢＭＩ＋ｈ1・ａｇｅ        （１）
ＷL＝ａ2＋ｂ2・ＢＭＩ＋ｇ1・ＦＡＴ＋ｈ2・ａｇｅ   （２）
ＷL＝ａ3＋ｂ3・ＢＭＩ＋ｃ1・Ｗ＋ｈ3・ａｇｅ   （３）
ＷL＝ａ4＋ｂ4・ＢＭＩ＋ｃ2・Ｗ＋ｇ2・ＦＡＴ＋ｈ4・ａｇｅ（４）
以上の式（１）乃至式（４）において、ＷLは対応する各式により求められるウエストサイズを表す。また、Ｗは被検者の体重データを表し、ＦＡＴは被検者の体脂肪率を表し、ａｇｅは被検者の年齢を表す。
【００８２】
そして、式（１）乃至式（４）における、係数ａｎ、ｂｎ、ｈｎ（ｎ＝１，・・・,４）、ｃｎ（ｎ＝１，２）は、別途に以下のようにして求められ記憶される。
【００８３】
即ち、不特定多数の標本となる人体について、各個人の実際のウエストサイズを物理的測定法により測定する。そして、標本となる各個人について、上記式（１）乃至式（４）の各演算式で用いられる各種の身体データを測定する。
【００８４】
そして、各演算式で用いられる複数の身体データとウエストサイズとの相関を仮定し、この相関を統計的に処理することにより、各演算式における各係数を求めることができる。
【００８５】
例えば、式（１）を例にとって説明すると、標本とされた各個人について測定された実際のウエストサイズと、該標本とされた各個人についてのＢＭＩ及び年齢とが相関していると仮定し、この相関を統計的に処理することにより、ａ1、ｂ1、ｈ1が求められる。ここで、ａ1、ｂ1、ｈ1を求めるにあたって、二種類以上の身体データとウエストサイズとの相関の統計的な処理は、重回帰分析を用いて行うことができる。
【００８６】
式（１）において、ＢＭＩに対する係数ｂ1はＢＭＩの第一回帰係数であり、年齢（ａｇｅ）に対する係数ｈ1は年齢の第一回帰係数であり、ａ1はウエストサイズの第一回帰定数である。
【００８７】
式（２）乃至式（４）で用いられる各係数についても、式（１）の例により説明したのと同様に、各演算式で用いられる身体データとの相関を統計的に処理することにより、各係数を求めることができる。
【００８８】
式（２）において、ＢＭＩに対する係数ｂ2はＢＭＩの第二回帰係数であり、体脂肪率（ＦＡＴ）に対する係数ｇ1は体脂肪率の第一回帰係数であり、年齢（ａｇｅ）に対する係数ｈ2は年齢の第二回帰係数であり、ａ2はウエストサイズの第二回帰定数である。
【００８９】
また、式（３）において、ＢＭＩに対する係数ｂ3はＢＭＩの第三回帰係数であり、体重（Ｗ）に対する係数ｃ1は体重の第一回帰係数であり、年齢（ａｇｅ）に対する係数ｈ3は年齢の第三回帰係数であり、ａ3はウエストサイズの第三回帰定数である。
【００９０】
また、式（４）において、ＢＭＩに対する係数ｂ4はＢＭＩの第四回帰係数であり、体重（Ｗ）に対する係数ｃ2は体重の第二回帰係数であり、体脂肪率（ＦＡＴ）に対する係数ｇ2は体脂肪率の第二回帰係数であり、年齢（ａｇｅ）に対する係数ｈ4は年齢の第四回帰係数であり、ａ4はウエストサイズの第四回帰定数である。
【００９１】
以上の式（１）乃至式（４）を創成するに際して、標本となる各個人の人体についての実際のウエストサイズを測定するにあたり、人体の略第四腰椎の部位における腹回りの周回の寸法を求めるようにするのが望ましい。
【００９２】
ウエストサイズとしてかかる部位の寸法が、被検者の上半身の肥満等に関する状況を最も反映していると考えられるからである。そして、標本としての人体より前記略第四腰椎の部位よりウエストサイズを採取することで、上半身の肥満等に関する状況を最も反映するウエストサイズを健康管理装置１０により求めることができるからである。
【００９３】
また、この健康管理装置１０の例では、上記式（１）乃至式（４）について、男女別に二種類用意されている。即ち、人体の標本を男女別とし、標本としての人体のウエストサイズとその他の身体データとの相関の統計的処理を男女別に行うことにより、上記式（１）乃至式（４）が創成されている。これにより、ウエストサイズをその他の身体データより求めるにあたり、被検者の性別に起因する相違をより反映させることができる。そして、上記式（１）乃至式（４）についての演算を行うにあたり、男性用に創成されたものにより行うか女性用に創成されたものにより行うかは、性別管理コードにより表される被検者の性別に応じて選択されるようにされている。
【００９４】
また、身体データを採取するための標本とする人体の数について、ウエストサイズとその他の身体データとの相関を統計的に処理する観点から、１００人以上とするのが望ましい。より望ましくは、５００人以上とするのがよい。
【００９５】
以上の式（１）によりウエストサイズを求めると、被検者の身体データとしてＢＭＩ及び年齢を反映させて求めることができる。また、式（２）によると、被検者のＢＭＩ、年齢及び体脂肪率を反映させることができる。また、式（３）によると、被検者のＢＭＩ、体重及び年齢を反映させることができる。また、式（４）によると、被検者のＢＭＩ、体重、体脂肪率及び年齢を反映させることができる。
【００９６】
以上の式（１）乃至式（４）に関して、ウエストサイズを求めるにあたり、より多くの種類の身体データの項目より求める得るようにされているものは、被検者の身体の状態をより多面的に緻密に反映させることができるので、ウエストサイズをより精度良く求めることができる。即ち、式（１）乃至式（４）のうち、式（４）によると、最も精度よくウエストサイズを求めることができる。
【００９７】
また、記憶装置１５には、被検者のヒップサイズを演算するための演算式として、以下の式（５）及び式（６）が記憶されている。
【００９８】
ＨL＝ａ11＋ｃ11・Ｗ＋ｄ11・ＴL＋ｈ11・ａｇｅ     （５）
ＨL＝ａ12＋ｃ12・Ｗ＋ｄ12・ＴL＋ｇ11・ＦＡＴ＋ｈ12・ａｇｅ   （６）
以上の式（５）及び式（６）において、ＨLは対応する各式により求められるヒップサイズを表す。また、ＴLは被検者の身長を表す。式（５）及び式（６）における、係数ａｎ、ｃｎ、ｄｎ、ｈｎ（ｎ＝１１,１２）、ｇｎ（ｎ＝１１）は、別途に以下のようにして求められ記憶される。
【００９９】
即ち、不特定多数の標本となる人体について、各個人の実際のヒップサイズを物理的測定法により測定する。そして、標本となる各個人について、上記式（５）及び（６）の各演算式で用いられる各種の身体データを測定する。
【０１００】
そして、各演算式で用いられる複数の身体データとヒップサイズとの相関を仮定し、この相関を統計的に処理することにより、各演算式における各係数を求めることができる。
【０１０１】
例えば、式（５）を例にとって説明すると、標本とされた各個人について測定された実際のヒップサイズと、該標本とされた各個人についての体重、身長及び年齢とが相関していると仮定し、この相関を統計的に処理することにより、ａ11、ｃ11、ｄ11、ｈ11が求められる。ここで、ａ11、ｃ11、ｄ11、ｈ11を求めるにあたって、二種類以上の身体データとウエストサイズとの相関の統計的な処理は、重回帰分析を用いて行うことができる。
【０１０２】
式（５）において、体重（Ｗ）に対する係数ｃ11は体重の第十一回帰係数であり、身長（ＴL）に対する係数ｄ11は身長の第十一回帰係数であり、年齢（ａｇｅ）に対する係数ｈ11は年齢の第十一回帰係数であり、ａ11はヒップサイズの第十一回帰定数である。
【０１０３】
式（６）で用いられる各係数についても、式（５）の例により説明したのと同様に、各演算式で用いられる身体データとの相関を統計的に処理することにより、各係数を求めることができる。
【０１０４】
式（６）において、体重（Ｗ）に対する係数ｃ12は体重の第十二回帰係数であり、身長（ＴL）に対する係数ｄ12は身長の第十二回帰係数であり、体脂肪率（ＦＡＴ）に対する係数ｇ11は体脂肪率の第十一回帰係数であり、年齢（ａｇｅ）に対する係数ｈ12は年齢の第十二回帰係数であり、ａ12はヒップサイズの第十二回帰定数である。
【０１０５】
以上の式（５）及び（６）を創成するに際して、標本となる各個人の人体についての実際のヒップサイズを測定するにあたり、被検者の臀部における略最も肉厚の大きい部位における周回の寸法を求めるようにするのが望ましい。
【０１０６】
ヒップサイズとしてかかる部位の寸法が、被検者の下半身の肥満等に関する状況を最も反映していると考えられるからである。そして、標本としての人体より前記臀部における略最も肉厚の大きい部位よりヒップサイズを採取することで、下半身の肥満等に関する状況を最も反映するヒップサイズを健康管理装置１０により求めることができるからである。
【０１０７】
また、この健康管理装置１０の例では、上記式（５）及び式（６）について、男女別に二種類用意されている。即ち、人体の標本を男女別とし、標本としての人体のヒップサイズとその他の身体データとの相関の統計的処理を男女別に行うことにより、上記式（５）及び式（６）が創成されている。これにより、ヒップサイズをその他の身体データより求めるにあたり、被検者の性別に起因する相違をより反映させることができる。そして、上記式（５）及び式（６）の演算を行うにあたり、男性用に創成されたものにより行うか女性用に創成されたものにより行うかは、性別管理コードにより表される被検者の性別に応じて選択されるようにされている。
【０１０８】
また、身体データを採取するための標本とする人体の数について、ヒップサイズとその他の身体データとの相関を統計的に処理する観点から、１００人以上とするのが望ましい。より望ましくは、５００人以上とするのがよい。
【０１０９】
また、以上に説明した式（１）乃至式（６）を創成するに際して、標本となる人体についてのウエストサイズやヒップサイズを測定するための物理的測定法としては、着目されるウエストやヒップの部位の長さ（寸法）を測定できるのであれば、いかなる方法により測定するのであっても構わない。即ち、標本となる人体に巻き尺を巻き付けて直接に測定することはもちろん、光を用いる自動測定方式を用いる等、着目した部位の物理量としての長さを測定できるのであれば、いかなる方法により測定するのであっても構わない。
【０１１０】
また、記憶装置１５には、以上の式（１）乃至式（６）により求められたウエストサイズ及びヒップサイズに基づき、ヒップサイズに対するウエストサイズの比であるＷＨＲ（ウエストサイズ／ヒップサイズ）を求めるための演算式も記憶されており、このＷＨＲを求め得るようにされている。
【０１１１】
また、記憶装置１５には、被検者の内臓脂肪に関する定量的な情報である内臓脂肪横断面積を演算するための演算式として、以下の式（７）乃至式（１１）が記憶されている。
【０１１２】
ＶＡ＝ｉ1・ＷL＋ｊ1                         （７）
ＶＡ＝ｋ1・ＷＨＲ＋ｊ2                      （８）
ＶＡ＝ｋ2・ＷＨＲ＋ｇ21・ＦＡＴ＋ｊ3        （９）
ＶＡ＝ｋ3・ＷＨＲ＋ｆ21・（Ｗ／ＴL）2＋ｊ4  （１0）
ＶＡ＝ｋ4・ＷＨＲ＋ｆ22・（Ｗ／ＴL）2＋ｇ22・ＦＡＴ＋ｊ5  （１１）
式（７）乃至式（１１）における、ＶＡは対応する各式により求められる内臓脂肪横断面積を表す。また、以上の式（７）乃至式（１１）における、係数ｉｎ（ｎ＝１）、ｊｎ（ｎ＝１，・・・，５）、ｋｎ（ｎ＝１，・・・,４）、ｆｎ、ｇｎ（ｎ＝２１，２２）は、別途に以下のようにして求められ記憶される。
【０１１３】
即ち、不特定多数の標本となる人体について、各個人の実際の内臓脂肪横断面積を測定する。そして、標本となる各個人について、上記式（７）乃至式（１１）の各演算式で用いられる各種の身体データを測定する。
【０１１４】
そして、各演算式で用いられる複数の身体データと内臓脂肪横断面積との相関を仮定し、この相関を統計的に処理することにより、各演算式における各係数を求めることができる。
【０１１５】
例えば、式（１１）を例にとって説明すると、標本とされた各個人について測定された実際の内臓脂肪横断面積と、該標本とされた各個人についてのＷＨＲ、（体重／身長）2、及び体脂肪率とが相関していると仮定し、この相関を統計的に処理することにより、
ｋ4、ｆ22、ｇ22、ｊ5が求められる。これらの係数ｋ4、ｆ22、ｇ22、ｊ5を求めるにあたって、二種類以上の身体データとウエストサイズとの相関の統計的な処理は、重回帰分析を用いて行うことができる。
【０１１６】
式（１１）において、ＷＨＲに対する係数ｋ4はＷＨＲの第四回帰係数であり、（Ｗ／ＴL）2に対する係数ｆ22は（Ｗ／ＴL）2の第二十二回帰係数であり、体脂肪率（ＦＡＴ）に対する係数ｇ22は体脂肪率の第二十二回帰係数であり、ｊ5は内臓脂肪横断面積の第五回帰定数である。
【０１１７】
式（７）乃至式（１０）で用いられる各係数についても、式（１１）の例により説明したのと同様に、各演算式で用いられる身体データとの相関を統計的に処理することにより、各係数を求めることができる。
【０１１８】
式（７）において、ウエストサイズ（ＷL）に対する係数ｉ1はウエストサイズの第一回帰係数であり、ｊ1は内臓脂肪横断面積の第一回帰定数である。
【０１１９】
また、式（８）において、ＷＨＲに対する係数ｋ1はＷＨＲの第一回帰係数であり、ｊ2は内臓脂肪横断面積の第二回帰定数である。
【０１２０】
また、式（９）において、ＷＨＲに対する係数ｋ2はＷＨＲの第二回帰係数であり、体脂肪率（ＦＡＴ）に対する係数ｇ21は体脂肪率の第二十一回帰係数であり、ｊ3は内臓脂肪横断面積の第三回帰定数である。
【０１２１】
式（１０）において、ＷＨＲに対する係数ｋ3はＷＨＲの第三回帰係数であり、（Ｗ／ＴL）2に対する係数ｆ21は（Ｗ／ＴL）2の第二十一回帰係数であり、ｊ4は内臓脂肪横断面積の第四回帰定数である。
【０１２２】
ここで、標本となる人体の実際の内臓脂肪横断面積の測定について、断層撮影により行うことができる。この断層撮影の方式としては、ＣＴスキャンやＭＲＩ、超音波診断等、人体の腹部の横断面を精度よく測定することが可能な各種の方式を用いることができる。
【０１２３】
また、この健康管理装置１０の例では、上記式（７）乃至式（１１）について、男女別に二種類用意されている。即ち、人体の標本を男女別とし、標本としての人体の内臓脂肪横断面積とその他の身体データとの相関の統計的処理を男女別に行うことにより、上記式（７）乃至式（１１）が創成されている。これにより、内臓脂肪横断面積をその他の身体データより求めるにあたり、被検者の性別に起因する相違をより反映させることができる。そして、上記式（７）乃至式（１１）の演算を行うにあたり、男性用に創成されたものにより行うか女性用に創成されたものにより行うかは、性別管理コードにより表される被検者の性別に応じて選択されるようにされている。
【０１２４】
また、身体データを採取するための標本とする人体の数について、内臓脂肪横断面積とその他の身体データとの相関を統計的に処理する観点から、１００人以上とするのが望ましい。より望ましくは、５００人以上とするのがよい。
【０１２５】
また、記憶装置１５には、被検者の体型を判定するためのウエストサイズ、ＷＨＲ、内臓脂肪横断面積についての判定基準値が予め格納されている。かかる体型を判定するためのウエストサイズの判定基準値として、男性について８５ｃｍ、女性について９０ｃｍが設定されている。また、ＷＨＲの判定基準値として、男性について１．０、女性について０．８が設定されている。また、内臓脂肪横断面積の判定基準値として、男性及び女性ともに１００ｃｍ2が設定されている。
【０１２６】
そして、被検者について求められたウエストサイズ、ＷＨＲ、内臓脂肪横断面積と、前記設定されている判定基準値とが比較され、以下のように肥満判定や体型判定がなされる。
【０１２７】
即ち、ウエストサイズに関して、男性について８５ｃｍ以上、女性について９０ｃｍ以上であれば、内臓脂肪型肥満と判定される。また、ＷＨＲに関して、男性について１．０未満、女性について０．８未満で下半身肥満型体型と判定される。また、内臓脂肪横断面積に関して、男性及び女性ともに１００ｃｍ2以上で内臓脂肪型肥満と判定される。
【０１２８】
以上に説明した健康管理装置１０については、手に取って操作することができるように構成した例を挙げて説明した。本発明にかかる健康管理装置について、一の装置で体重計としても機能させ得る構成とすることもできる。図３に示される健康管理装置３０にあっては、体重計としても機能させるべく体重測定手段が組み込まれている。
【０１２９】
この健康管理装置３０にあっては、本体の表面に体重測定面３２が形成され、本体の内部に設けられる図示されないロードセルによって体重測定面３２上の重量が検出される。そして、被検者が体重測定面３２の上に足で載ることによって、その体重を測定することができる。
【０１３０】
また、体重測定面３２には、被検者の生体インピーダンスを測定するための電極３３、３４、３５、３６が設けられている。電極３３、３４は被検者の人体に電流を導通させて電流路を形成するための一対の電流路形成電極であり、電極３５、３６は前記電流路における二点間の電圧を測定するための一対の電圧測定用電極である。
【０１３１】
そして、電極３３、３４、３５、３６は、上記健康管理装置１０と同様に、体脂肪測定の分野において周知である本体内部に設けられるインピーダンス測定手段に接続されており、電極３３、３４、３５、３６を介して人体のインピーダンスを測定できるようにされている。
【０１３２】
そして、この健康管理装置３０によると、被検者が左足の裏面を電極３３、３５に接触させるとともに、右足の裏面を電極３４、３６に接触させるようにして測定台３２の上に載ることにより、被検者の体重を測定できるとともに、両足を人体の末端とする生体インピーダンスを測定することもできる。
【０１３３】
そして、この健康管理装置３０には、前記健康管理装置１０について説明したのと同様に構成される操作部７、表示部８が設けられている。また、健康管理装置３０には、図３に特に図示されない中央処理装置１４と記憶装置１５とを備えてなる演算処理部１２が、その内部に設けられている。
【０１３４】
そして、記憶装置１５は、前記健康管理装置１０について説明したのと同様に構成されており、入力されたデータや測定結果、演算結果が記憶されるようになっている。そして、ＢＭＩやＷＨＲを求める演算処理や、上記式（１）乃至式（１１）の演算処理は、演算処理部１２により行われる。
【０１３５】
なお、健康管理装置３０内部のロードセルにより検出される被検者の体重は、演算処理部１２により体重データとして処理されるようにされている。従って、この健康管理装置３０によると、被検者の体重を入力するにあたり操作部７の操作を介してする必要がないので、操作部７を介して入力する身体データの項目を減らすことができ、かかる操作の負担を軽減することができる。
【産業上の利用可能性】
【０１３６】
以上に説明したように、本発明の健康管理装置によると、腹囲や腰囲を求めるにあたり自動的に求めることができるという効果を奏する。これにより、腹囲や腰囲を求めて肥満の度合いに基づき健康状態の判断を行うにあたり、巻き尺等を人体の該当部位に巻き付けて測定するという煩雑な測定作業をなくすることができる。
【図面の簡単な説明】
【０１３７】
【図１】第１図は、健康管理装置の一例の斜視図である。
【図２】第２図は、健康管理装置の信号処理に係るブロック図である。
【図３】第３図は、健康管理装置の他の例の斜視図である。
【図１】
2008229364.tif 000002
【図２】
2008229364.tif 000003
【図３】
2008229364.tif 000004
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
身長、体重を含む被検者の身体データを入力することができ、被検者の人体の末端に接触させる電極を介して前記被検者の身体のインピーダンスを測定できるインピーダンス測定手段を有し、
前記身長、体重及び身体のインピーダンスを含む身体データに基づく演算処理により、前記被検者の胴の部位における周回の寸法である腹囲を求め、
前記求められた腹囲に基づく演算処理により、内臓脂肪に関する定量的な情報を求めることができる、健康管理装置。
【手続補正２】
【補正対象書類名】明細書
【補正対象項目名】０００９
【補正方法】変更
【補正の内容】
【０００９】
上記課題を解決するため、本発明にかかる健康管理装置は、身長、体重を含む被検者の身体データを入力することができ、被検者の人体の末端に接触させる電極を介して前記被検者の身体のインピーダンスを測定できるインピーダンス測定手段を有し、前記身長、体重及び身体のインピーダンスを含む身体データに基づく演算処理により、前記被検者の胴の部位における周回の寸法である腹囲を求め、前記求められた腹囲に基づく演算処理により、内臓脂肪に関する定量的な情報を求めることができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】